(57)【要約】【課題】組立作業が容易な構成を有する光学要素アッセンブリおよびこの光学要素アッセンブリを備えた撮像装置を提供。【解決手段】本光学要素アッセンブリFAは、第１の光学要素10、第２の光学要素20、sibor絞り部材30の三者を含む構成要素が所定の組付け構造を有する保持構造体HCによって一体的に組付けられてなる光学要素アッセンブリPAであって、保持構造体HCは、絞り部材30の各対応面31,32に向けて第１の光学要素10及び第２の光学要素10の夫々の被対応面13,21を押圧せしめるための付勢力を生起する付勢部材41,42と、付勢部材41,42に対しその所定の部位に関する基準位置を維持せしめて該当する付勢力を有効に作用させ得るための基準位置規制部50と、を含んで構成されたものであることを主たる特徴としている。【選択図】      図３
2005134829.tif 000002
【特許請求の範囲】
【請求項１】
被写体側から所定の一の入射面に到来した入射光がパワーを有する所定の裏面反射面で反射し所定の一の射出面から射出するように構成されたプリズムであることを可とする第１の光学要素及び上記第１の光学要素側から所定の一の入射面に到来した入射光がパワーを有する所定の裏面反射面で反射し所定の一の射出面から射出するように構成されたプリズムであることを可とする第２の光学要素及び当該両光学要素間の所定位置に介挿される絞り部材との三者を含む構成要素が所定の組付け構造を有する保持構造体によって一体的に組付けられてなる光学要素アッセンブリであって、
上記保持構造体は、上記絞り部材の各対応面に向けて上記第１の光学要素及び第２の光学要素の夫々の被対応面を押圧せしめるための付勢力を生起する付勢部材と、上記付勢部材に対しその所定の部位に関する基準位置を維持せしめて該当する付勢力を有効に作用させ得るための基準位置規制部と、を含んで構成されたものであることを特徴とする光学要素アッセンブリ。
【請求項２】
上記絞り部材は、上記組付け構造部と一体に形成されたものであることを特徴とする請求項１に記載の光学要素アッセンブリ。
【請求項３】
上記絞り部材は、当該対応面側に上記第１の光学要素及び第２の光学要素の夫々の上記被対応面乃至その周縁近傍部を受ける凹陥部がそれぞれ形成されたものであることを特徴とする請求項１に記載の光学要素アッセンブリ。
【請求項４】
上記凹陥部は、上記第１の光学要素及び第２の光学要素の夫々の上記被対応面乃至その周縁近傍部との対向面の所定部位に、当該第１の光学要素及び第２の光学要素の相対的姿勢を調整するための姿勢調整部用突起部がそれぞれ形成されたものであることを特徴とする請求項３に記載の光学要素アッセンブリ。
【請求項５】
被写体側から所定の一の入射面に到来した入射光がパワーを有する所定の裏面反射面で反射し所定の一の射出面から射出するように構成されたプリズムであることを可とする第１の光学要素及び上記第１の光学要素側から所定の一の入射面に到来した入射光がパワーを有する所定の裏面反射面で反射し所定の一の射出面から射出するように構成されたプリズムであることを可とする第２の光学要素及び当該両光学要素間の所定位置に介挿される絞り部材の三者を含む構成要素が所定の組付け構造を有する保持構造体によって一体的に組付けられてなる光学要素アッセンブリであって、
上記第１の光学要素及び／又は第２の光学要素は、その光学的特性を利用しない不使用面の所定部位に係合用突起部が設けられたものであり、
上記保持構造体は、上記第１の光学要素及び／又は第２の光学要素の当該係合用突起部に対応する被係合用凹陥部が設けられ、該被係合用凹陥部と当該係合用突起部との係合によって上記複合要素体との相対的姿勢が所定の関係に保たれた状態を維持しつつ移動可能〔註：シート38では可動枠の移動自体を説明する図はないが、本文にてこの旨言及する〕になされたものであることを特徴とする光学要素アッセンブリ。
【請求項６】
上記保持構造体は、上記複合要素体を所定の空隙を有してその外周側から所定範囲に亘って囲繞するように構成された外殻構造部と、この外殻構造部の所定の内壁面に沿う方向に延出し自己の所定部に当該複合要素体側の上記当該係合用突起部に対応する被係合用凹陥部が形成され当該係合に付勢力を与える弾性変形可能なアーム部が設けられたものであることを特徴とする請求項５に記載の光学要素アッセンブリ。
【請求項７】
上記保持構造体は、上記複合要素体をその外周側から所定範囲に亘って囲繞するように構成された外殻構造部を有し、この外殻構造部の側壁面の所定部に当該複合要素体側の上記当該係合用突起部に対応する被係合用凹陥部が形成されたものであることを特徴とする請求項５に記載の光学要素アッセンブリ。
【請求項８】
被写体側から所定の一の入射面に到来した入射光がパワーを有する所定の裏面反射面で反射し所定の一の射出面から射出するように構成されたプリズムであることを可とする第１の光学要素及び上記第１の光学要素側から所定の一の入射面に到来した入射光がパワーを有する所定の裏面反射面で反射し所定の一の射出面から射出するように構成されたプリズムであることを可とする第２の光学要素及び当該両光学要素間の所定位置に介挿される絞り部材の三者を含む構成要素が所定の組付け構造を有する保持構造体によって一体的に組付けられてなる光学要素アッセンブリであって、
上記保持構造体は、上記第１の光学要素及び第２の光学要素及び絞り部材との三者を自己の所定の開口部側から装填してそれらが相互に所定の当接を得た状態で収容可能に構成された収容構造体部と、該収容構造体部内に収容された上記三者乃至その一部に上記開口部側から押圧付勢するための付勢部が設けられ当該開口部を覆うように配設される蓋体と、を含んで構成されたものであることを特徴とする光学要素アッセンブリ。
【請求項９】
上記蓋体は上記第１の光学要素及び第２の光学要素及び絞り部材の三者に対向する内面適所に当該三者の上記収容構造体部内での位置を規制するための位置規制部が設けられたものであることを特徴とする請求項８に記載の光学要素アッセンブリ。
【請求項１０】
被写体側から所定の一の入射面に到来した入射光がパワーを有する所定の裏面反射面で反射し所定の一の射出面から射出するように構成されたプリズムであることを可とする第１の光学要素及び上記第１の光学要素側から所定の一の入射面に到来した入射光がパワーを有する所定の裏面反射面で反射し所定の一の射出面から射出するように構成されたプリズムであることを可とする第２の光学要素及び当該両光学要素間の所定位置に介挿される絞り部材の三者を含む構成要素が所定の組付け構造部を有する保持構造体によって一体的に組付けられてなり、上記組付け構造部は、上記絞り部材の各対応面に向けて上記第１の光学要素及び第２の光学要素の夫々の被対応面を押圧せしめるための付勢力を生起する付勢部材と、上記付勢部材に対しその所定の部位に関する基準位置を維持せしめて該当する付勢力を有効に作用させ得るための基準位置規制部と、を含んで構成されたものである光学要素アッセンブリと、
上記光学要素アッセンブリの上記所定の位置の射出面から射出した光束による光像に関する光電変換を行なうべく適用された撮像素子と、
上記撮像素子の出力信号に基づいて所定の記録及び／又は通信に適合する画像データを生成するための画像データ生成手段と、
を備えたことを特徴とする撮像装置。
【請求項１１】
被写体側から所定の一の入射面に到来した入射光がパワーを有する所定の裏面反射面で反射し所定の一の射出面から射出するように構成されたプリズムであることを可とする第１の光学要素及び上記第１の光学要素側から所定の一の入射面に到来した入射光がパワーを有する所定の裏面反射面で反射し所定の一の射出面２３から射出するように構成されたプリズムであることを可とする第２の光学要素及び当該両光学要素間の所定位置に介挿される絞り部材の三者を含んで一体に組付けられてなる複合要素体と該複合要素体を保持する保持構造体によって一体的に組付けられてなり、上記第１の光学要素及び／又は第２の光学要素は、その光学的特性を利用しない不使用面の所定部位に係合用突起部が設けられたものであり、上記保持構造体は、上記第１の光学要素及び／又は第２の光学要素の当該係合用突起部に対応する被係合用凹陥部が設けられ、該被係合用凹陥部と当該係合用突起部との係合によって上記複合要素体との相対的姿勢が所定の関係に保たれた状態を維持しつつ移動可能になされたものである光学要素アッセンブリと、
上記光学要素アッセンブリの上記所定の位置の射出面から射出した光束による光像に関する光電変換を行なうべく適用された撮像素子と、
上記撮像素子の出力信号に基づいて所定の記録及び／又は通信に適合する画像データを生成するための画像データ生成手段と、
を備えたことを特徴とする撮像装置。
【請求項１２】
被写体側から所定の一の入射面に到来した入射光がパワーを有する所定の裏面反射面で反射し所定の一の射出面から射出するように構成されたプリズムであることを可とする第１の光学要素及び第２の光学要素及び当該両光学要素間の所定位置に介挿される絞り部材の三者を含む構成要素が所定の組付け構造部を有する保持構造体によって一体的に組付けられてなり、上記保持構造体は、上記第１の光学要素及び第２の光学要素及び絞り部材の三者を自己の所定の開口部側から装填してそれらが相互に所定の当接を得た状態で収容可能に構成された収容構造体部と、該収容構造体部内に収容された上記三者乃至その一部に上記開口部側から押圧付勢するための付勢部が設けられ当該開口を覆うように配設される蓋体と、を含んで構成された光学要素アッセンブリと、
上記光学要素アッセンブリＰＡの上記所定の位置の射出面２３から射出した光束による光像に関する光電変換を行なうべく適用された撮像素子２２０と、
上記撮像素子の出力信号に基づいて所定の記録及び／又は通信に適合する画像データを生成するための画像データ生成手段と、
を備えたことを特徴とする撮像装置。
【請求項１３】
被写体側から所定の一の入射面に到来した入射光がパワーを有する所定の裏面反射面で反射し所定の一の射出面から射出するように構成されたプリズムであることを可とする第１の光学要素及び上記第１の光学要素側から所定の一の入射面に到来した入射光がパワーを有する所定の裏面反射面で反射し所定の一の射出面から射出するように構成されたプリズムであることを可とする第２の光学要素及び当該両光学要素間の所定位置に介挿される絞り部材の三者を含む構成要素が所定の組付け構造部を有する保持構造体によって一体的に組付けられてなり、上記保持構造体は、上記絞り部材の各対応面に向けて上記第１の光学要素及び第２の光学要素の夫々の被対応面を押圧せしめるための付勢力を生起する付勢部材と、上記付勢部材に対しその所定の部位に関する基準位置を維持せしめて該当する付勢力を有効に作用させ得るための基準位置規制部と、を含んで構成されたものである光学要素アッセンブリと、
上記光学要素アッセンブリの第２の光学要素の所定の一の射出面から射出した光束から観察するに適合する光像を結ぶための光像形成用光学系と、
を備えたことを特徴とする撮像装置。
【請求項１４】
被写体側から所定の一の入射面に到来した入射光がパワーを有する所定の裏面反射面で反射し所定の一の射出面から射出するように構成されたプリズムであることを可とする第１の光学要素及び第上記第１の光学要素側から所定の一の入射面に到来した入射光がパワーを有する所定の裏面反射面で反射し所定の一の射出面から射出するように構成されたプリズムであることを可とする２の光学要素及び当該両光学要素間の所定位置に介挿される絞り部材の三者を含んで一体に組付けられてなる複合要素体と該複合要素体を保持する保持構造体によって一体的に組付けられてなり、
上記第１の光学要素及び／又は第２の光学要素は、その光学的特性を利用しない不使用面の所定部位に係合用突起部が設けられたものであり、上記保持構造体は、上記第１の光学要素及び／又は第２の光学要素の当該係合用突起部に対応する被係合用凹陥部が設けられ、該被係合用凹陥部と当該係合用突起部との係合によって上記複合要素体との相対的姿勢が所定の関係に保たれた状態を維持しつつ移動可能になされたものである光学要素アッセンブリと、
上記光学要素アッセンブリの第２の光学要素の所定の一の射出面から射出した光束から観察するに適合する光像を結ぶための光像形成用光学系と、
を備えたことを特徴とする撮像装置。
【請求項１５】
被写体側から所定の一の入射面に到来した入射光がパワーを有する所定の裏面反射面で反射し所定の一の射出面から射出するように構成されたプリズムであることを可とする第１の光学要素及び上記第１の光学要素側から所定の一の入射面に到来した入射光がパワーを有する所定の裏面反射面で反射し所定の一の射出面から射出するように構成されたプリズムであることを可とする第２の光学要素及び当該両光学要素間の所定位置に介挿される絞り部材の三者を含む構成要素が所定の組付け構造部を有する保持構造体によって一体的に組付けられてなり、上記保持構造体は、上記第１の光学要素及び第２の光学要素及び絞り部材の三者を自己の所定の開口部側から装填してそれらが相互に所定の当接を得た状態で収容可能に構成された収容構造体部と、該収容構造体部内に収容された上記三者乃至その一部に上記開口部側から押圧付勢するための付勢部が設けられ当該開口を覆うように配設される蓋体と、を含んで構成された光学要素アッセンブリと、
上記光学要素アッセンブリの第２の光学要素の所定の一の射出面から射出した光束から観察するに適合する光像を結ぶための光像形成用光学系と、
を備えたことを特徴とする撮像装置。
【請求項１６】
上記光学要素アッセンブリ、撮像素子、及び、画像データ生成手段はデジタルカメラの筐体内部に実装するに適合するように構成されたものであることを特徴とする請求項１０又は１１又は１２に記載の撮像装置。
【請求項１７】
上記光学要素アッセンブリ、撮像素子、及び、画像データ生成手段はパーソナルコンピュータの筐体内部に実装するに適合するように構成されたものであることを特徴とする請求項１０又は１１又は１２に記載の撮像装置。
【請求項１８】
上記光学要素アッセンブリ、撮像素子、及び、画像データ生成手段は携帯電話機の筐体内部に実装するに適合するように構成されたものであることを特徴とする請求項１０又は１１又は１２に記載の撮像装置。
【発明の詳細な説明】
【技術分野】
【０００１】
本発明は、プリズム等の光学要素を複数組み合わせてなる光学要素アッセンブリおよびこの光学要素アッセンブリを撮像機能部に適用した撮像装置（例えば、デジタルスチルカメラ、カメラ機能を備えた携帯電話機やパーソナルコンピュータ、又は、ビデオカメラ等々を含む）に関する。
【背景技術】
【０００２】
近年、デジタルスチルカメラ、カメラ機能を備えた携帯電話機やパーソナルコンピュータ、又は、ビデオカメラ等の撮像装置の小型化が著しく進んでいる。撮像装置の小型化が進むにつれ、それら装置の本体内に組み込まれる撮像機能部のアッセンブリ（光学系を主要な構成要素として含む組立体）に対しても、その小型化・薄型化が益々希求されるようになっている。
【０００３】
光学系をより薄型化するため、従来、いわゆる自由曲面等を用いたプリズム光学系が、例えば、次に掲げる特許文献１乃至５（特許文献の記載欄参照）に提案されている。
【０００４】
特許文献１には、小型、軽量で、テレセントリック性が良好で、非点収差等が補正しやすく、加工組立が容易な撮像レンズを提供するべく、物体側から順に、当該物体側に凸面を向けた負メニスカスの第１レンズ、絞り、像面側に凸面を向けた正メニスカスの第２レンズを構成要素とし、その２枚玉（前記第１レンズ、前記第２レンズ）は、少なくとも１面ずつを非球面状に形成することで、特定の条件を満足するようにして光学要素の組立体を構成することが開示されている。
【０００５】
特許文献２には、携帯電話機にＣＣＤなどの撮像素子を搭載することにより、デジタルスチルカメラやパソコンを所有することなく、手軽に持ち歩ける携帯電話機によって画像を撮像し、これを通話相手に対して容易に送れるようにした技術が開示されている。この携帯電話機の撮像機能部は、基板上に載置された撮像素子と、この撮像素子の受光面に被写体像を結像させるレンズ部と、このレンズ部を支持する脚部とを備えた光学部材を含んで構成されている。そして前記撮像素子の前記レンズ部に向いた表面に、前記脚部を５ｇ以上５００ｇ以下の当接力で当接させることにより、前記脚部を前記基板に当接させた場合に比べ、前記レンズ部と前記撮像素子の受光面との光軸方向の位置決めを精度良く行なえることが記載されている。また当接力を５ｇ以上とすることにより、振動などで前記光学部材がガタつくことによる撮影時の像ブレを防止でき、当接力を５００ｇ以下とすることにより、前記撮像素子の破損や機能不良などを抑制できることについても記載されている。
【０００６】
特許文献３には、光学的ローパスフィルターを有した小型、薄型で低コストな結像光学系及びそれを用いた装置を提供するべく、物体像を形成する結像光学系が、絞りと、この絞りよりも物体側に配置された物体側反射面と、上記絞りよりも像側に配置された像側反射面とを含み、前記物体側反射面と前記像側反射面とが共に反射時に光束にパワーを与える非球面にて構成され、前記物体側反射面と前記像側反射面との間に高周波成分をカットするローパスフィルターを設けた光学要素の組み合わせが開示されている。
【０００７】
ビデオカメラやデジタルスチルカメラ、フィルムスキャナ、内視鏡等用の結像光学系では、撮像素子の小型化に伴い、光学系自身も小型軽量化、低コスト化が求められている。最近では、携帯電話やＰＤＡ、ノートパソコン等に電子撮像光学系を内蔵する製品も出てきており、光学系をより薄型化することが強く望まれている。
【０００８】
特許文献４や特許文献５には、こうした状況に鑑みて、少ない光学素子の構成枚数で高性能、低コストな結像光学系を実現し、更には、反射面を３面のみで光路を折り畳み、特に撮像素子の垂直方向のサイズを著しく薄型化した、高性能な結像光学系を提供するべく、
この種の光学要素としての所要の特性を有するプリズムを組み合わせて上述の要求に応えるようにした撮像機能部の構成が開示されている。
【特許文献１】特開２００２−２６７９２８号公報
【特許文献２】特開２００２−３２０１２２号公報
【特許文献３】特開平１１−３２６７６６号公報
【特許文献４】特開２００２−１９６２４３号公報
【特許文献５】特開２００３−０８４２００号公報
【発明の開示】
【発明が解決しようとする課題】
【０００９】
上述した何れの文献も、光学要素として適切な光学的特性が選択されたプリズム等を複数組み合わせて用いる技術が開示されるに留まるものである。即ち、それら光学要素をどのようにして相互の位置関係が所定の関係に維持されるように保持乃至結合せしめるか、不要な光束の発生やその影響を回避するにはどうするか、製造の容易さを確保するにはどうするか、塵埃による影響を受け難くするにはどのような構成にするか等々、製品として具現化する際の技術課題とその解決手段としての技術については必ずしも具体的な提案がなされていない。
【００１０】
本発明は、上述のような製品として具現化する際の技術課題に鑑みてなされたものであり、種々の課題のうち、特に、この種の装置乃至組立体における組立作業が容易な構成を有する光学要素アッセンブリおよびこの光学要素アッセンブリを備えた撮像装置を提供することを目的とする。
【課題を解決するための手段】
【００１１】
上記目的を達成するために、本発明の光学要素アッセンブリおよびこの光学要素アッセンブリを備えた撮像装置は、下記のような特徴ある構成を有している。なお下記以外の本発明の特徴ある構成については実施形態の中で明らかにする。
【００１２】
（１）本発明の光学要素アッセンブリは、被写体側から所定の一の入射面に到来した入射光がパワーを有する所定の裏面反射面で反射し所定の一の射出面から射出するように構成されたプリズムであることを可とする第１の光学要素及び上記第１の光学要素側から所定の一の入射面に到来した入射光がパワーを有する所定の裏面反射面で反射し所定の一の射出面から射出するように構成されたプリズムであることを可とする第２の光学要素及び当該両光学要素間の所定位置に介挿される絞り部材との三者を含む構成要素が所定の組付け構造を有する保持構造体によって一体的に組付けられてなる光学要素アッセンブリであって、
上記保持構造体は、上記絞り部材の各対応面に向けて上記第１の光学要素及び第２の光学要素の夫々の被対応面を押圧せしめるための付勢力を生起する付勢部材と、上記付勢部材に対しその所定の部位に関する基準位置を維持せしめて該当する付勢力を有効に作用させ得るための基準位置規制部と、を含んで構成されたものであることを特徴とする。
【００１３】
（２）本発明の撮像装置は、被写体側から所定の一の入射面に到来した入射光がパワーを有する所定の裏面反射面で反射し所定の一の射出面から射出するように構成されたプリズムであることを可とする第１の光学要素及び上記第１の光学要素側から所定の一の入射面に到来した入射光がパワーを有する所定の裏面反射面で反射し所定の一の射出面から射出するように構成されたプリズムであることを可とする第２の光学要素及び当該両光学要素間の所定位置に介挿される絞り部材の三者を含む構成要素が所定の組付け構造部を有する保持構造体によって一体的に組付けられてなり、上記組付け構造部は、上記絞り部材の各対応面に向けて上記第１の光学要素及び第２の光学要素の夫々の被対応面を押圧せしめるための付勢力を生起する付勢部材と、上記付勢部材に対しその所定の部位に関する基準位置を維持せしめて該当する付勢力を有効に作用させ得るための基準位置規制部と、を含んで構成されたものである光学要素アッセンブリと、
上記光学要素アッセンブリの上記所定の位置の射出面から射出した光束による光像に関する光電変換を行なうべく適用された撮像素子と、
上記撮像素子の出力信号に基づいて所定の記録及び／又は通信に適合する画像データを生成するための画像データ生成手段と、を備えたことを特徴とする。
【発明の効果】
【００１４】
本発明においては、第１の光学要素及び第２の光学要素及び絞り部材の三つの構成要素を所定の組付け構造を有する保持構造体によって一体的に組付けるようにした。したがって本発明によれば、この種の装置乃至組立体における組立作業を極めて容易にしかも的確に行なえる光学要素アッセンブリおよびこの光学要素アッセンブリを備えた撮像装置を提供できる。
【発明を実施するための最良の形態】
【００１５】
（第１実施形態）
図１は本発明の第１実施形態に係る光学要素アッセンブリＰＡを適用した撮像装置１００の概要を示す概略構成図である。図１に示す撮像装置１００は、撮像光学系１１０と、撮像素子１２０と、画像データ生成手段１３０とを備えている。
【００１６】
撮像光学系１１０は、プリズムであることを可とする第１の光学要素１０と第２の光学要素２０とを両者の相対位置が所定の関係に維持されるように互いに結合し、且つ両者間に光学的絞り開口を有する絞り部材３０を介挿した光学要素アッセンブリＰＡを主体として構成されている。なお１１１,１１２はカバーガラスである。これらのうちの一方乃至双方は、赤外線遮断機能を有するＩＲカットフィルターであっても良い。光学要素アッセンブリＰＡに付いては後述する。
【００１７】
撮像素子１２０は、上記光学要素アッセンブリＰＡから射出した光束による光像を光電変換する。
【００１８】
画像データ生成手段１３０は、撮像素子１２０で光電変換された信号を処理し、必要に応じて例えば画像データ等の圧縮／伸張を適時行なえる処理手段１３１、この処理手段１３１で処理された画像データを記録媒体（メモリーカード適用を可とする）に記録する記録手段１３２、この記録手段１３２に記録された画像データを適時再生し出力端子１３４から出力可能な再生手段１３３、等を備えている。なお処理手段１３１は端子１３５を介して外部機器等と通信可能となっている。
【００１９】
図２は光学要素アッセンブリＰＡの光学系の構成を示す図である。図２に示すように、
光学要素アッセンブリＰＡの第１の光学要素１０は、カバーガラス１１１を通して被写体側から到来し所定の一の入射面１１に入射した入射光を、パワーを有する所定の裏面反射面１２で反射し、所定の一の射出面１３から射出するように構成されたプリズムからなる。また光学要素アッセンブリＰＡの第２の光学要素２０は、上記第１の光学要素１０側から所定の一の入射面２１に到来した入射光を、パワーを有する所定の裏面反射面２２−１，２２−２で反射し、所定の一の射出面２３から射出するように構成されたプリズムからなる。図２において符号１２１は撮像素子１２０の受光面を示している。図１について既述のとおり、第１の光学要素１０と第２の光学要素２０との間には絞り部材３０が介在している。この絞り部材３０には光学的絞りとしての機能部３０１が設けられている。
【００２０】
図３の（ａ）（ｂ）（ｃ）は光学要素アッセンブリＰＡの具体的な組み立て構造を示す図で、（ａ）は概略的構成を示す平面図、（ｂ）は（ａ）の３ｂ−３ｂ線矢視断面図、（ｃ）は要部の構成を示す斜視図である。図４の（ａ）（ｂ）（ｃ）は、それぞれ第１の光学要素１０と第２の光学要素２０とに押圧力を付与するための付勢部に関する三つの変形例を示す概略的平面図である。
【００２１】
図３の（ａ）（ｂ）（ｃ）に示すように、この光学要素アッセンブリＰＡは、第１の光学要素１０と第２の光学要素２０とこれら両光学要素１０，２０間の所定位置に介挿される絞り部材３０との三者を含む構成要素が、所定の組付け構造を有する保持構造体ＨＣによって一体的に組付けられている。
【００２２】
保持構造体ＨＣは箱型の筐体からなり、その中央部位には、絞り部材３０が当該保持構造体ＨＣと一体的に形成されている。この絞り部材３０は、当該部材の対応面３１，３２に、第１の光学要素１０及び第２の光学要素２０の夫々の被対応面すなわち第１の光学要素１０の射出面１３と第２の光学要素２０の入射面２１乃至その周縁近傍部を受ける凹陥部Ｗ１、Ｗ２をそれぞれ有している。凹陥部Ｗ１は対応面３１と枠部３４とからなり、Ｗ２は対応面３２と枠部３５とからなる。凹陥部Ｗ１の対応面３１の所定部位には、第１の光学要素１０の相対的姿勢を調整するための姿勢調整用突起部３７ａ，３７ｂ，３７ｃが設けられている。また凹陥部Ｗ２の対応面３２の所定部位には、図示はしてないが、第２の光学要素２０の相対的姿勢を調整するための姿勢調整用突起部３８ａ，３８ｂ，３８ｃ
が設けられている。
【００２３】
第１の光学要素１０及び第２の光学要素２０の各被対応面１３，２１は、上記凹陥部Ｗ１、Ｗ２に対しそれぞれ圧接するようになっている。すなわち第１の光学要素１０及び第２の光学要素２０の各尾端と保持構造体ＨＣにおける筐体内面との間には、コイルスプリングからなる付勢部材４１，４２が圧縮状態で介在している。このため付勢部材４１，４２により生起した付勢力により、第１の光学要素１０及び第２の光学要素２０の各被対応面１３，２１は、絞り部材３０の各対応面３１，３２に対して所定圧力で押圧せしめられる。なお保持構造体ＨＣの筐体内には、上記付勢部材４１，４２に対しその基準位置を維持せしめ、該当する付勢力を有効に作用させるために、付勢部材ガイド部を主体とした基準位置規制部５０が設けられている。
【００２４】
第１の光学要素１０と第２の光学要素２０とにそれぞれ押圧力を付与するための付勢部材としては、図４の（ａ）に示すように、例えばくの字形に屈曲した板ばね６１を用いても良いし、図４の（ｂ）に示すように、所謂トーションばね６２を用いても良いし、図４の（ｃ）に示すように保持構造体ＨＣの筐体の一部に弾性変形可能な部分を設け、この部分を付勢部材６３としたものでも良い。
【００２５】
（第２実施形態）
図５の（ａ）（ｂ）（ｃ）は本発明の第２実施形態に係る光学要素アッセンブリＰＡの具体的な組み立て構造を示す図で、（ａ）は縦断正面図、（ｂ）は縦断側面図、（ｃ）は要部の構成を示す斜視図である。また図５の（ｄ）は一部変形した変形例を示す縦断正面図である。
【００２６】
図５の（ａ）（ｂ）（ｃ）に示すように、第１の光学要素１０及び第２の光学要素２０が絞り部材３０を挟んで一体的に結合された複合要素体が、保持構造体ＨＣの外殻構造部７０の内部に所定の空隙を有して収容されている。第１の光学要素１０の光学的特性を利用しない不使用面の所定部位（両側面）には、係合用突起部１５ａ，１５ｂが設けられている。また第２の光学要素２０の光学的特性を利用しない不使用面の所定部位（両側面）には、係合用突起部２６ａ，２６ｂが設けられている。保持構造体ＨＣには、外殻構造部７０の所定の内壁面に沿う方向に延出したアーム部７１ａ，７１ｂ，７２ａ，７２ｂが設けられている。これらアーム部７１ａ，７１ｂ，７２ａ，７２ｂは、所定部に複合要素体側の係合用突起部１５ａ，１５ｂ及び２６ａ，２６ｂにそれぞれ係合する被係合用凹陥部７５ａ，７５ｂ及び７６ａ，７６ｂを有している。なお上記アーム部７１ａ，７１ｂ，７２ａ，７２ｂは、上記係合状態に付勢力を与え得る如く、筐体中心方向へ弾性的に変位可能に形成されている。
【００２７】
係合用突起部１５ａ，１５ｂ及び２６ａ，２６ｂと被係合用凹陥部７５ａ，７５ｂとの係合によって、上記複合要素体の相対的姿勢が所定関係に保たれた状態を維持し得るものとなる。なお保持構造体ＨＣの外殻構造部７０は、図示はしてないが、移動手段により移動可能に設けられる。
【００２８】
図５の（ｄ）に示すように、上記複合要素体をその外周側から所定範囲に亘って囲繞するように構成された外殻構造部７０の側壁面の所定部に、複合要素体側の係合用突起部１５ａ，１５ｂ等に対応する被係合用凹陥部７７ａ，７７ｂ等を直接形成し、係合用突起部１５ａ，１５ｂ等と被係合用凹陥部７７ａ，７７ｂ等とが係合することによって、上記複合要素体の相対的姿勢が所定関係に保たれた状態を維持し得るように構成しても良い。
【００２９】
（第３実施形態）
図６の（ａ）（ｂ）（ｃ）は本発明の第３実施形態に係る光学要素アッセンブリＰＡの具体的な組み立て構造を示す図で、（ａ）は要部の平面図、（ｂ）は要部の斜視図、（ｃ）は一部変形した要部の斜視図である。
【００３０】
本実施形態が第２実施形態と異なる点は、第１の光学要素１０の光学的特性を利用しない不使用面の所定部位（両側面）に設けた突起部１５ａ，１５ｂ及び第２の光学要素２０の光学的特性を利用しない不使用面の所定部位（両側面）に設けた突起部２６ａ，２６ｂ
を、水平方向に平行配設された一対の支持バー８１，８２にて支持するようにした点である。なお突起部１５ａ，１５ｂ及び２６ａ，２６ｂと、一対の支持バー８１，８２との間は、必要に応じて例えば接着剤を用いて接着固定する。図６の（ｃ）に示すように、支持バー８１，８２に突設した係合ピン８３，８４により、支持バー８１，８２と突起部１５ａ，１５ｂ及び２６ａ，２６ｂとを位置決めして結合するようにしても良い。
【００３１】
（第４実施形態）
図７の（ａ）（ｂ）（ｃ）は本発明の第４実施形態に係る光学要素アッセンブリＰＡの具体的な組み立て構造を示す図で、（ａ）は第１の光学要素１０及び第２の光学要素２０及び絞り部材３０の三者を一体化した複合要素体を、収容構造体部９０に収容する前の状態を示す分解斜視図、（ｂ）は上記複合要素体を収容構造体部の中に収容した状態を示す斜視図、（ｃ）は収容構造体部９０の開口部９８に蓋体９９を装着する前の状態を示す分解斜視図である。
【００３２】
図７の（ａ）に示すように、第１の光学要素１０及び第２の光学要素２０及び絞り部材３０の三者を一体化した複合要素体は、収容構造体部９０の上端開口部９８から、相互に所定の当接状態が得られるように収容可能となっている。すなわち収容構造体部９０の側壁内面の適所には、当該三者の収容構造体部９０内での位置を規制するための位置規制部９１，９２，９３が設けられている。かくして一体化した複合要素体を、開口部９８から矢印で示すように落とし込むことにより、第１の光学要素１０、第２の光学要素２０、絞り部材３０は、位置規制部９１，９２，９３によりガイドされて収容構造体部９０の中へ収容される。図７の（ｂ）はこのときの状態を示している。第１の光学要素１０、第２の光学要素２０、絞り部材３０の三者が収容された収容構造体部９０の開口部９８は、蓋体９９によって閉塞される。蓋体９９の内面には、収容構造体部９０内に収容された上記三者乃至その一部に対し、開口部側から所定の押圧力を付与するための付勢部（例えばクッション性のよい弾性部材など）９９ａが設けられている。また蓋体９９の周辺部の内側の数箇所（本実施形態では２箇所）には、収容構造体部９０の外面に形成されている係合用凹部９４，９５に係合する爪状の係合用突起９６，９７が設けてある。かくして収容構造体部９０の開口部９８に蓋体９９を装着すると、係合用凹部９４，９５と係合用突起９６，９７とが係合し両者は容易には分離し得ないものとなる。なお蓋体９９には被写体からの入射光Ｐ１を導入するための窓９９ｂが形成されている。また収容構造体部９０の底部には光学要素
アッセンブリＰＡからの射出光Ｐ２を導出するための窓９０ｂが形成されている。
【００３３】
（第５実施形態）
図８の（ａ）（ｂ）は本発明の第５実施形態（本発明の光学要素アッセンブリＰＡをデジタルカメラに適用した応用例）に係るデジタルカメラの概略的構成を示す図で、（ａ）は光学要素アッセンブリＰＡをデジタルカメラの撮像系に適用した例、（ｂ）は光学要素アッセンブリＰＡをデジタルカメラのファインダー系に適用した例を示す図である。
【００３４】
図８の（ａ）に示すデジタルカメラ２００は、図１に示す撮像装置１００と同様に、光学要素アッセンブリＰＡを含む撮像光学系２１０、撮像素子２２０、画像データ生成手段２３０等を備えている。なお画像データ生成手段２３０に関連して、ＬＣＤ等からなる画像表示手段２３６、この画像表示手段２３６に表示される画像をモニターするための観察光学系２５０等が設けられている。
【００３５】
図８の（ｂ）に示すデジタルカメラ３００は、光学要素アッセンブリＰＡを含む光像形成用光学系３５０を備えている。この光像形成用光学系３５０は、光学要素アッセンブリＰＡから射出した光束から画像観察に適合する光像を結ぶためのものである。この光像形成用光学系３５０にはフォーカス用レンズ３５１、ポロプリズム３５２、接眼窓３５３などが含まれている。なお３１０は撮像光学系、３２０は撮像素子、３３０は画像データ生成手段である。
【００３６】
図８の（ａ）（ｂ）いずれの場合にも、光学要素アッセンブリＰＡを含む光学系は、デジタルカメラ２００の筐体内部への実装に適合するように構成されている。
【００３７】
（第６実施形態）
図９の（ａ）（ｂ）は本発明の第６実施形態（本発明の光学要素アッセンブリＰＡをパーソナルコンピュータに適用した応用例）に係るパソコンの概略的構成を示す図で、（ａ）はノート型パソコンの側面図、（ｂ）は要部の概略的構成を示す略式断面図である。
【００３８】
図９の（ａ）（ｂ）に示すように、光学要素アッセンブリＰＡを含む撮像光学系４１０、撮像素子４２０、画像データ生成手段４３０等は、パーソナルコンピュータ４００の筐体内部への実装に適合するように構成されている。
【００３９】
（第７実施形態）
図１０の（ａ）（ｂ）（ｃ）は本発明の第７実施形態（本発明の光学要素アッセンブリＰＡを携帯電話機に適用した応用例）に係る携帯電話機の概略的構成を示す図で、（ａ）は正面図、（ｂ）は側面図、（ｃ）は要部の概略的構成を示す略式断面図である。
【００４０】
図１０の（ａ）（ｂ）（ｃ）に示すように、光学要素アッセンブリＰＡを含む撮像光学系５１０、撮像素子５２０、画像データ生成手段５３０等は、携帯電話機５００の筐体内部への実装に適合するように構成されている。なお５０１は音声入力用マイクロホン、５０２はスピーカ、５０３は入力用操作ボタン、５０４はモニター用表示画面、５０５はアンテナである。
【００４１】
（実施形態における特徴点)
［１］実施形態に示された光学要素アッセンブリは、
被写体側から所定の一の入射面１１に到来した入射光がパワーを有する所定の裏面反射面１２で反射し所定の一の射出面１３から射出するように構成されたプリズムであることを可とする第１の光学要素１０及び上記第１の光学要素１０側から所定の一の入射面２１に到来した入射光がパワーを有する所定の裏面反射面２２−１，２２−２で反射し所定の一の射出面２３から射出するように構成されたプリズムであることを可とする第２の光学要素２０及び当該両光学要素１０，２０間の所定位置に介挿される絞り部材３０の三者を含む構成要素が所定の組付け構造を有する保持構造体ＨＣによって一体的に組付けられてなる光学要素アッセンブリであって、
上記保持構造体ＨＣは、上記絞り部材３０の各対応面３１，３２に向けて上記第１の光学要素１０及び第２の光学要素２０の夫々の被対応面１３，２１を押圧せしめるための付勢力を生起する付勢部材４１，４２と、上記付勢部材４１，４２に対しその所定の部位に関する基準位置を維持せしめて該当する付勢力を有効に作用させ得るための基準位置規制部５０と、を含んで構成されたものであることを特徴とする。
【００４２】
［２］実施形態に示された光学要素アッセンブリは、前記［１］に記載の光学要素アッセンブリであって、
上記絞り部材３０は、上記保持構造体ＨＣと一体に形成されたものであることを特徴とする。
【００４３】
［３］実施形態に示された光学要素アッセンブリは、前記［１］に記載の光学要素アッセンブリであって、
上記絞り部材３０は、当該対応面３１，３２側に上記第１の光学要素１０及び第２の光学要素２０の夫々の上記被対応面１３，２１乃至その周縁近傍部を受ける凹陥部Ｗ１（３１，３４）、Ｗ２（３２，３５）がそれぞれ形成されたものであることを特徴とする。
【００４４】
［４］実施形態に示された光学要素アッセンブリは、前記［３］に記載の光学要素アッセンブリであって、
上記凹陥部Ｗ１（３１，３４）、Ｗ２（３２，３５）は、上記第１の光学要素１０及び第２の光学要素２０の夫々の上記被対応面１３，２１乃至その周縁近傍部との対向面の所定部位に、当該第１の光学要素１０及び第２の光学要素２０の相対的姿勢を調整するための姿勢調整用突起部３７ａ，３７ｂ，３７ｃ及び３８ａ，３８ｂ，３８ｃ（３８ａ〜３８ｃは不図示）がそれぞれ形成されたものであることを特徴とする。
【００４５】
［５］実施形態に示された光学要素アッセンブリは、
被写体側から所定の一の入射面１１に到来した入射光がパワーを有する所定の裏面反射面１２で反射し所定の一の射出面１３から射出するように構成されたプリズムであることを可とする第１の光学要素１０及び上記第１の光学要素１０側から所定の一の入射面２１に到来した入射光がパワーを有する所定の裏面反射面２２−１，２２−２で反射し所定の一の射出面２３から射出するように構成されたプリズムであることを可とする第２の光学要素２０及び当該両光学要素１０，２０間の所定位置に介挿される絞り部材３０の三者を含む構成要素が所定の組付け構造を有する保持構造体ＨＣによって一体的に組付けられてなる光学要素アッセンブリであって、
上記第１の光学要素１０及び／又は第２の光学要素２０は、その光学的特性を利用しない不使用面の所定部位に係合用突起部１５ａ，１５ｂ（及び／又は２６ａ，２６ｂ）が設けられたものであり、
上記保持構造体ＨＣは、上記第１の光学要素１０及び／又は第２の光学要素２０の当該係合用突起部１５ａ，１５ｂ（及び／又は２６ａ，２６ｂ）に対応する被係合用凹陥部７５ａ，７５ｂ（及び／又は７６ａ，７６ｂ）が設けられ、該被係合用凹陥部と当該係合用突起部との係合によって上記複合要素体との相対的姿勢が所定の関係に保たれた状態を維持しつつ移動可能になされたものであることを特徴とする。
【００４６】
［６］実施形態に示された光学要素アッセンブリは、前記［５］に記載の光学要素アッセンブリであって、
上記保持構造体ＨＣは、上記複合要素体を所定の空隙を有してその外周側から所定範囲に亘って囲繞するように構成された外殻構造部７０と、この外殻構造部７０の所定の内壁面に沿う方向に延出し自己の所定部に当該複合要素体側の上記当該係合用突起部１５ａ，１５ｂ（及び／又は２６ａ，２６ｂ）に対応する被係合用凹陥部７５ａ，７５ｂ（及び／又は７６ａ，７６ｂ）が形成され当該係合に付勢力を与える弾性変形可能なアーム部７１ａ，７１ｂ，７２ａ，７２ｂが設けられたものであることを特徴とする。
【００４７】
［７］実施形態に示された光学要素アッセンブリは、前記［５］に記載の光学要素アッセンブリであって、
上記保持構造体ＨＣは、上記複合要素体をその外周側から所定範囲に亘って囲繞するように構成された外殻構造部７０を有し、この外殻構造部７０の側壁面の所定部に当該複合要素体側の上記当該係合用突起部１５ａ，１５ｂに対応する被係合用凹陥部７７ａ，７７ｂが形成されたものであることを特徴とする。
【００４８】
［８］実施形態に示された光学要素アッセンブリは、
被写体側から所定の一の入射面１１に到来した入射光がパワーを有する所定の裏面反射面１２で反射し所定の一の射出面１３から射出するように構成されたプリズムであることを可とする第１の光学要素１０及び上記第１の光学要素１０側から所定の一の入射面２１に到来した入射光がパワーを有する所定の裏面反射面２２−１，２２−２で反射し所定の一の射出面２３から射出するように構成されたプリズムであることを可とする第２の光学要素２０及び当該両光学要素１０，２０間の所定位置に介挿される絞り部材３０の三者を含む構成要素が所定の組付け構造を有する保持構造体ＨＣによって一体的に組付けられてなる光学要素アッセンブリであって、
上記保持構造体ＨＣは、上記第１の光学要素１０及び第２の光学要素２０及び絞り部材３０の三者を自己の所定の開口部９８側から装填してそれらが相互に所定の当接を得た状態で収容可能に構成された収容構造体部９０と、該収容構造体部９０内に収容された上記三者乃至その一部に上記開口部９８側から押圧付勢するための付勢部が設けられ当該開口部９８を覆うように配設される蓋体９９と、を含んで構成されたものであることを特徴とする。
【００４９】
［９］実施形態に示された光学要素アッセンブリは、前記［８］に記載の光学要素アッセンブリであって、
上記蓋体９９は上記第１の光学要素１０及び第２の光学要素２０及び絞り部材３０の三者に対向する内面適所に当該三者の上記収容構造体部９０内での位置を規制するための位置規制部９１，９２，９３が設けられたものであることを特徴とする。
【００５０】
［１０］実施形態に示された撮像装置は、
被写体側から所定の一の入射面１１に到来した入射光がパワーを有する所定の裏面反射面１２で反射し所定の一の射出面１３から射出するように構成されたプリズムであることを可とする第１の光学要素１０及び上記第１の光学要素１０側から所定の一の入射面２１に到来した入射光がパワーを有する所定の裏面反射面２２−１，２２−２で反射し所定の一の射出面２３から射出するように構成されたプリズムであることを可とする第２の光学要素２０及び当該両光学要素１０，２０間の所定位置に介挿される絞り部材の三者を含む構成要素が所定の組付け構造部を有する保持構造体ＨＣによって一体的に組付けられてなり、
上記保持構造体ＨＣは、上記絞り部材３０の各対応面３１，３２に向けて上記第１の光学要素１０及び第２の光学要素２０の夫々の被対応面１３，２１を押圧せしめるための付勢力を生起する付勢部材４１，４２と、上記付勢部材４１，４２に対しその所定の部位に関する基準位置を維持せしめて該当する付勢力を有効に作用させ得るための基準位置規制部５０と、を含んで構成されたものである光学要素アッセンブリＰＡと、
上記光学要素アッセンブリＰＡの上記所定の位置の射出面２３から射出した光束による光像に関する光電変換を行なうべく適用された撮像素子２２０と、
上記撮像素子２２０の出力信号に基づいて所定の記録及び／又は通信に適合する画像データを生成するための画像データ生成手段２３０と、
を備えたことを特徴とする。
【００５１】
［１１］実施形態に示された撮像装置は、
被写体側から所定の一の入射面１１に到来した入射光がパワーを有する所定の裏面反射面１２で反射し所定の一の射出面１３から射出するように構成されたプリズムであることを可とする第１の光学要素１０及び上記第１の光学要素１０側から所定の一の入射面２１に到来した入射光がパワーを有する所定の裏面反射面２２−１，２２−２で反射し所定の一の射出面２３から射出するように構成されたプリズムであることを可とする第２の光学要素２０及び当該両光学要素１０，２０間の所定位置に介挿される絞り部材３０の三者を含んで一体に組付けられてなる複合要素体と該複合要素体を保持する保持構造体ＨＣによって一体的に組付けられてなり、上記第１の光学要素１０及び／又は第２の光学要素２０は、その光学的特性を利用しない不使用面の所定部位に係合用突起部１５ａ，１５ｂ（及び／又は２６ａ，２６ｂ）が設けられたものであり、上記保持構造体ＨＣは、上記第１の光学要素１０及び／又は第２の光学要素２０の当該係合用突起部１５ａ，１５ｂ（及び／又は２６ａ，２６ｂ）に対応する被係合用凹陥部７５ａ，７５ｂ（及び／又は７６ａ，７６ｂ）が設けられ、該被係合用凹陥部と当該係合用突起部との係合によって上記複合要素体との相対的姿勢が所定の関係に保たれた状態を維持しつつ移動可能になされたものである光学要素アッセンブリＰＡと、
上記光学要素アッセンブリＰＡの上記所定の位置の射出面２３から射出した光束による光像に関する光電変換を行なうべく適用された撮像素子２２０と、
上記撮像素子２２０の出力信号に基づいて所定の記録及び／又は通信に適合する画像データを生成するための画像データ生成手段２３０と、
を備えたことを特徴とする。
【００５２】
［１２］実施形態に示された撮像装置は、
被写体側から所定の一の入射面１１に到来した入射光がパワーを有する所定の裏面反射面１２で反射し所定の一の射出面１３から射出するように構成されたプリズムであることを可とする第１の光学要素１０及び第２の光学要素２０及び当該両光学要素１０、２０間の所定位置に介挿される絞り部材３０の三者を含む構成要素が所定の組付け構造部を有する保持構造体ＨＣによって一体的に組付けられてなり、上記保持構造体ＨＣは、上記第１の光学要素１０及び第２の光学要素２０及び絞り部材３０の三者を自己の所定の開口部９８側から装填してそれらが相互に所定の当接を得た状態で収容可能に構成された収容構造体部９０と、該収容構造体部９０内に収容された上記三者乃至その一部に上記開口部９８側から押圧付勢するための付勢部が設けられ当該開口部９８を覆うように配設される蓋体９と、を含んで構成された光学要素アッセンブリＰＡと、
上記光学要素アッセンブリＰＡの上記所定の位置の射出面２３から射出した光束による光像に関する光電変換を行なうべく適用された撮像素子２２０と、
上記撮像素子の出力信号に基づいて所定の記録及び／又は通信に適合する画像データを生成するための画像データ生成手段２３０と、
を備えたことを特徴とする。
【００５３】
［１３］実施形態に示された撮像装置は、
被写体側から所定の一の入射面１１に到来した入射光がパワーを有する所定の裏面反射面１２で反射し所定の一の射出面１３から射出するように構成されたプリズムであることを可とする第１の光学要素１０及び上記第１の光学要素１０側から所定の一の入射面２１に到来した入射光がパワーを有する所定の裏面反射面２２−１、２２−２で反射し所定の一の射出面２３から射出するように構成されたプリズムであることを可とする第２の光学要素２０及び当該両光学要素１０，２０間の所定位置に介挿される絞り部材３０の三者を含む構成要素が所定の組付け構造部を有する保持構造体ＨＣによって一体的に組付けられてなり、上記保持構造体ＨＣは、上記絞り部材３０の各対応面３１，３２に向けて上記第１の光学要素１０及び第２の光学要素２０の夫々の被対応面１３，２１を押圧せしめるための付勢力を生起する付勢部材４１２，４２と、上記付勢部材４１，４２に対しその所定の部位に関する基準位置を維持せしめて該当する付勢力を有効に作用させ得るための基準位置規制部５０と、を含んで構成されたものである光学要素アッセンブリＰＡと、
上記光学要素アッセンブリＰＡの第２の光学要素２０の所定の一の射出面２３から射出した光束から観察するに適合する光像を結ぶための光像形成用光学系３５０と、
を備えたことを特徴とする。
【００５４】
［１４］実施形態に示された撮像装置は、
被写体側から所定の一の入射面１１に到来した入射光がパワーを有する所定の裏面反射面１２で反射し所定の一の射出面２１から射出するように構成されたプリズムであることを可とする第１の光学要素１０及び第上記第１の光学要素２０側から所定の一の入射面２１に到来した入射光がパワーを有する所定の裏面反射面２２−１，２２−２で反射し所定の一の射出面２３から射出するように構成されたプリズムであることを可とする２の光学要素２０及び当該両光学要素１０，２０間の所定位置に介挿される絞り部材３０の三者を含んで一体に組付けられてなる複合要素体と該複合要素体を保持する保持構造体（可動枠〕によって一体的に組付けられてなり、
上記第１の光学要素１０及び／又は第２の光学要素２０は、その光学的特性を利用しない不使用面の所定部位に係合用突起部１５ａ，１５ｂ（及び／又は２６ａ，２６ｂ）が設けられたものであり、上記保持構造体ＨＣは、上記第１の光学要素１０及び／又は第２の光学要素２０の当該係合用突起部１５ａ，１５ｂ（及び／又は２６ａ，２６ｂ）に対応する被係合用凹陥部７５ａ，７５ｂ（及び／又は７６ａ，７６ｂ）が設けられ、該被係合用凹陥部と当該係合用突起部との係合によって上記複合要素体との相対的姿勢が所定の関係に保たれた状態を維持しつつ移動可能になされたものである光学要素アッセンブリＰＡと、
上記光学要素アッセンブリＰＡの第２の光学要素２０の所定の一の射出面２３から射出した光束から観察するに適合する光像を結ぶための光像形成用光学系３５０と、
を備えたことを特徴とする。
【００５５】
［１５］実施形態に示された撮像装置は、
被写体側から所定の一の入射面１１に到来した入射光がパワーを有する所定の裏面反射面１２で反射し所定の一の射出面１３から射出するように構成されたプリズムであることを可とする第１の光学要素１０及び上記第１の光学要素１０側から所定の一の入射面２１に到来した入射光がパワーを有する所定の裏面反射面２２−１，２２−２で反射し所定の一の射出面２３から射出するように構成されたプリズムであることを可とする第２の光学要素２０及び当該両光学要素１０，２０間の所定位置に介挿される絞り部材３０の三者を含む構成要素が所定の組付け構造部を有する保持構造体ＨＣによって一体的に組付けられてなり、上記保持構造体ＨＣは、上記第１の光学要素１０及び第２の光学要素２０及び絞り部材３０の三者を自己の所定の開口部９８側から装填してそれらが相互に所定の当接を得た状態で収容可能に構成された収容構造体部９０と、該収容構造体部９０内に収容された上記三者乃至その一部に上記開口部９８側から押圧付勢するための付勢部が設けられ当該開口部９８を覆うように配設される蓋体９８と、を含んで構成された光学要素アッセンブリＰＡと、
上記光学要素アッセンブリＰＡの第２の光学要素２０の所定の一の射出面２３から射出した光束から観察するに適合する光像を結ぶための光像形成用光学系３５０と、
を備えたことを特徴とする。
【００５６】
［１６］実施形態に示された撮像装置は、前記［１０］又は［１１］又は［１２］に記載の撮像装置であって、
上記光学要素アッセンブリＰＡ、撮像素子２２０、及び、画像データ生成手段２３０はデジタルカメラ２００の筐体内部に実装するに適合するように構成されたものであることを特徴とする。
【００５７】
［１８］実施形態に示された撮像装置は、前記［１０］又は［１１］又は［１２］に記載の撮像装置であって、
上記光学要素アッセンブリＰＡ、撮像素子２２０、及び、画像データ生成手段２３０はパーソナルコンピュータ４００の筐体内部に実装するに適合するように構成されたものであることを特徴とする。
【００５８】
［１９］実施形態に示された撮像装置は、前記［１０］又は［１１］又は［１２］に記載の撮像装置であって、
上記光学要素アッセンブリＰＡ、撮像素子２２０、及び、画像データ生成手段２３０は携帯電話機の筐体内部に実装するに適合するように構成されたものであることを特徴とする。
【産業上の利用可能性】
【００５９】
本発明を用いることによって、組立作業を極めて容易かつ的確に行なう事ができ、しかも小型化、薄型化がはかれる光学要素アッセンブリ及びそれを用いた撮像装置を、極めて安定的に提供することが可能となる。
【図面の簡単な説明】
【００６０】
【図１】本発明の第１実施形態に係る光学要素アッセンブリを適用した撮像装置の概要を示す概略構成図である。
【図２】本発明の第１実施形態に係る光学要素アッセンブリの光学系の構成を示す図である。
【図３】本発明の第１実施形態に係る光学要素アッセンブリの具体的な組み立て構造を示す図で、（ａ）は概略的構成を示す平面図、（ｂ）は（ａ）の３ｂ−３ｂ線矢視断面図、（ｃ）は要部の構成を示す斜視図である。
【図４】（ａ）（ｂ）（ｃ）は本発明の第１実施形態に係る光学要素アッセンブリにおいて第１の光学要素１０と第２の光学要素２０とに押圧力を付与するための付勢部に関する三つの変形例をそれぞれ示す概略的平面図である。
【図５】（ａ）（ｂ）（ｃ）は本発明の第２実施形態に係る光学要素アッセンブリの具体的な組み立て構造を示す図で、（ａ）は縦断正面図、（ｂ）は縦断側面図、（ｃ）は要部の構成を示す斜視図である。（ｄ）は一部変形した変形例を示す縦断正面図である。
【図６】本発明の第３実施形態に係る光学要素アッセンブリの具体的な組み立て構造を示す図で、（ａ）は要部の平面図、（ｂ）は要部の斜視図、（ｃ）は一部変形した要部の斜視図である。
【図７】本発明の第４実施形態に係る光学要素アッセンブリの具体的な組み立て構造を示す図で、（ａ）は第１の光学要素及び第２の光学要素及び絞り部材の三者を一体化した複合要素体を、収容構造体部に収容する前の状態を示す分解斜視図、（ｂ）は上記複合要素体を収容構造体部の中に収容した状態を示す斜視図、（ｃ）は収容構造体部の開口部に蓋体を装着する前の状態を示す分解斜視図である。
【図８】（ａ）（ｂ）は本発明の第５実施形態に係る装置のデジタルカメラへの応用例を示す概略的構成図で、（ａ）は光学要素アッセンブリをデジタルカメラの撮像系に適用した例、（ｂ）は光学要素アッセンブリをデジタルカメラのファインダー系に適用した例を示す図である。
【図９】（ａ）（ｂ）は本発明の第６実施形態に係る装置のパーソナルコンピュータへの応用例を示す概略的構成図で、（ａ）はノート型パソコンの側面図、（ｂ）は要部の概略的構成を示す略式断面図である。
【図１０】（ａ）（ｂ）（ｃ）は本発明の第７実施形態に係る装置の携帯電話機への応用例を示す概略的構成図で、（ａ）は正面図、（ｂ）は側面図、（ｃ）は要部の概略的構成を示す略式断面図である。
【符号の説明】
【００６１】
１０…第１の光学要素、１１…一の入射面、１２…裏面反射面、１３…一の射出面（被対応面）、１４，２４…有効光束通過の有効領域、１５ａ，１５ｂ，２６ａ，２６ｂ…係合用突起部、２０…第２の光学要素、２１…一の入射面（被対応面）、２２−１，２２−２…裏面反射面、２３…一の射出面、３０…絞り部材、３１…一の対応面、３２…他の対応面、３３…光学的絞り開口、４１，４２，６１，６２，６３…付勢部材、５０…基準位置規制部、７１ａ，７１ｂ，７２ａ，７２ｂ…アーム部、８１，８２…支持バー、９０…収容構造体部、９１，９２，９３…位置規制部、９９…蓋体、ＰＡ…光学要素アッセンブリ、Ｗ１、Ｗ２…凹陥部。
【図１】
2005134829.tif 000003
【図２】
2005134829.tif 000004
【図３】
2005134829.tif 000005
【図４】
2005134829.tif 000006
【図５】
2005134829.tif 000007
【図６】
2005134829.tif 000008
【図７】
2005134829.tif 000009
【図８】
2005134829.tif 000010
【図９】
2005134829.tif 000011
【図１０】
2005134829.tif 000012